(57)【要約】【課題】消費電力を低く抑えるのはもちろん、商品陳列棚の正面側を明るく照らすことができ、しかも、それを眩しさを感じさせることなく実現することができる、店舗の照明構造を提供する。【解決手段】第１通路１の上方の天井面６に設けられた３列のＬＥＤ光源群８，９，１０のうちの中央の列のＬＥＤ光源群８が第１通路１の床面１２を照らすように下方に向けられ、該ＬＥＤ光源群の列８を挟んで第１商品陳列棚２とは反対の側に位置している列のＬＥＤ光源群９が第１商品陳列棚２の正面を照らすように斜め下方に向けられ、ＬＥＤ光源群の列８を挟んで第２商品陳列棚３とは反対の側に位置している列のＬＥＤ光源群１０が第２商品陳列棚３の正面を照らすように斜め下方に向けられている。【選択図】      図１
2010218922.tif 000002
【特許請求の範囲】
【請求項１】
直線状に延びる通路を挟む両側に、上下方向に複数段からなる商品陳列棚がその正面側を通路側に向けるようにして通路に沿って配置され、
該通路の天井側に、該通路の延びる方向に直線状に列設された照明用のＬＥＤ光源の群が、該通路と直交する横方向に間隔をおいて少なくとも３列設けられ、
該ＬＥＤ光源群の列のうち、横方向の中間に位置している列のＬＥＤ光源群が通路の床面を照らすように下方に向けられ、
該通路床面照明用のＬＥＤ光源群の列を挟んで一方の商品陳列棚とは反対の側に位置している列のＬＥＤ光源群が該一方の商品陳列棚の正面を照らすように斜め下方に向けられ、
前記通路床面照明用のＬＥＤ光源群の列を挟んでもう一方の商品陳列棚とは反対の側に位置している列のＬＥＤ光源群が該もう一方の商品陳列棚の正面を照らすように斜め下方に向けられていることを特徴とする店舗のＬＥＤ照明構造。
【請求項２】
直線状に延びる通路を挟む一方の側に、上下方向に複数段からなる商品陳列棚がその正面側を通路側に向けるようにして通路に沿って配置され、
該通路の天井側に、該通路の延びる方向に直線状に列設された照明用のＬＥＤ光源の群が、該通路と直交する横方向に間隔をおいて少なくとも２列設けられ、
該ＬＥＤ光源群の列のうち、前記商品陳列棚の側に位置している列のＬＥＤ光源群が通路の床面を照らすように下方に向けられ、
該通路床面照明用のＬＥＤ光源群の列を挟んで前記商品陳列棚とは反対の側に位置している列のＬＥＤ光源群が該商品陳列棚の正面を照らすように斜め下方に向けられていることを特徴とする店舗のＬＥＤ照明構造。
【発明の詳細な説明】
【技術分野】
【０００１】
本発明は、店舗のＬＥＤ照明構造に関する。
【背景技術】
【０００２】
例えばコンビニエンスストアでは、直線状に延びる通路を挟む両側に、上下方向に複数段からなる商品陳列棚がその正面側を通路側に向けるようにして通路に沿って配置され、照明は、そのような通路の天井側に、直管形の蛍光灯が該通路の延びる方向に向けられて設置されており、該直管形の蛍光灯の発する無指向性の光が、通路の床面と商品陳列棚の商品とを照らす構成となっている。
【０００３】
一方、白色ＬＥＤの実用化に伴い、ＬＥＤを屋内外の照明に用いるための試みが種々行われている。
【先行技術文献】
【特許文献】
【０００４】
【特許文献１】特開２０００−０４０５９５号公報
【特許文献２】特開２００７−１６５０５１号公報
【発明の概要】
【発明が解決しようとする課題】
【０００５】
しかしながら、上記のような蛍光灯による照明では、電気代が高くついてしまうのはもちろん、通路の床面を照らしている蛍光灯が、その無指向性によって商品陳列棚の商品をも照らす構成となっているため、商品陳列棚の正面側が通路の床面側に比べて暗くなってしまいやすいという問題を生じると共に、商品陳列棚の正面側に配置されている商品が明るく照らされるように蛍光灯の光を強くすると、通路の床面を照らす光も強くなって眩しさを感じさせてしまうという問題を生じる。
【０００６】
本発明は、上記のような問題点に鑑み、消費電力を低く抑えることができるのはもちろん、商品陳列棚の正面側を明るく照らすことができ、しかも、それを眩しさを感じさせることなく実現することができる、店舗の照明構造を提供することを課題とする。
【課題を解決するための手段】
【０００７】
上記の課題は、直線状に延びる通路を挟む両側に、上下方向に複数段からなる商品陳列棚がその正面側を通路側に向けるようにして通路に沿って配置され、
該通路の天井側に、該通路の延びる方向に直線状に列設された照明用のＬＥＤ光源群のが、該通路と直交する横方向に間隔をおいて少なくとも３列設けられ、
該ＬＥＤ光源群の列のうち、横方向の中間に位置している列のＬＥＤ光源群が通路の床面を照らすように下方に向けられ、
該通路床面照明用のＬＥＤ光源群の列を挟んで一方の商品陳列棚とは反対の側に位置している列のＬＥＤ光源群が該一方の商品陳列棚の正面を照らすように斜め下方に向けられ、
前記通路床面照明用のＬＥＤ光源群の列を挟んでもう一方の商品陳列棚とは反対の側に位置している列のＬＥＤ光源群が該もう一方の商品陳列棚の正面を照らすように斜め下方に向けられていることを特徴とする店舗のＬＥＤ照明構造によって解決される（第１発明）。
【０００８】
この照明構造では、発する光に指向性のあるＬＥＤ光源を照明に用い、通路の床面を照らすＬＥＤ光源群の列と、商品陳列棚の正面を照らすＬＥＤ光源群の列を備えさせたものであるから、商品陳列棚の正面を、該正面を照らすＬＥＤ光源群の列で明るく照らしたからといって、通路の床面が無用に明るく照らされて眩しさを感じてしまうというようなことがなく、そのため、商品陳列棚の正面側を明るく照らすことができ、しかも、それを眩しさを感じさせることなく実現することができる。
【０００９】
そして、間隔をおいた少なくとも３列からなるＬＥＤ光源群の列のうち、横方向の中間に位置している列のＬＥＤ光源群が通路の床面を照らすように下方に向けられ、該通路床面照明用のＬＥＤ光源群の列を挟んで一方の商品陳列棚とは反対の側に位置している列のＬＥＤ光源群が該一方の商品陳列棚の正面を照らすように斜め下方に向けられ、通路床面照明用のＬＥＤ光源群の列を挟んでもう一方の商品陳列棚とは反対の側に位置している列のＬＥＤ光源群が該もう一方の商品陳列棚の正面を照らすように斜め下方に向けられているので、通路を挟む各側の商品陳列棚の正面部に対する光の入射角度を大きくすることができて、各側の商品陳列棚の正面を、棚間の収容部の奥方を含んで、効果的に明るく照らすことができる。
【００１０】
もちろん、ＬＥＤ光源が用いられていることにより消費電力を低く抑えることができる。
【００１１】
また、上記の課題は、直線状に延びる通路を挟む一方の側に、上下方向に複数段からなる商品陳列棚がその正面側を通路側に向けるようにして通路に沿って配置され、
該通路の天井側に、該通路の延びる方向に直線状に列設された照明用のＬＥＤ光源の群が、該通路と直交する横方向に間隔をおいて少なくとも２列設けられ、
該ＬＥＤ光源群の列のうち、前記商品陳列棚の側に位置している列のＬＥＤ光源群が通路の床面を照らすように下方に向けられ、
該通路床面照明用のＬＥＤ光源群の列を挟んで前記商品陳列棚とは反対の側に位置している列のＬＥＤ光源群が該商品陳列棚の正面を照らすように斜め下方に向けられていることを特徴とする店舗のＬＥＤ照明構造によっても、同様に解決される（第２発明）。
【発明の効果】
【００１２】
本発明は、以上のとおりのものであるから、消費電力を低く抑えることができるのはもちろん、商品陳列棚の正面側を明るく照らすことができ、しかも、それを眩しさを感じさせることなく実現することができる。
【図面の簡単な説明】
【００１３】
【図１】図（イ）は実施形態のＬＥＤ照明構造を示す正面図、図（ロ）及び図（ハ）はそれぞれ照明器具の下面図である。
【図２】図（イ）は、図１（イ）の構造において、商品陳列棚から商品を省略すると共にＬＥＤ光源を消灯した状態を示す正面図、図（ロ）は図（イ）の状態からＬＥＤ光源を点灯した状態を示す正面図である。
【図３】同ＬＥＤ照明構造の平面図である。
【発明を実施するための形態】
【００１４】
次に、本発明の実施形態を図面に基づいて説明する。
【００１５】
図１〜図３に示す実施形態の店舗のＬＥＤ照明構造は、コンビニエンスストア用の屋内ＬＥＤ照明構造についてのもので、１は直線状に延びる第１通路であり、第１通路１を挟む両側には、床置式の第１，第２の商品陳列棚２，３がその正面側を第１通路１側に向けるようにして第１通路１に沿って配置されている。
【００１６】
各商品陳列棚２，３は、図２に示すように、上下方向に複数段、図示するものでは４段のものからなっていて、各段の棚４…には、図１（イ）に示すように、商品５…が置かれ、客は、商品陳列棚２，３の正面側、即ち、第１通路１の側から、各段の棚４…に置かれている商品５を見たり、触れたり、取り出したりすることができるようになっている。
【００１７】
そして、第１通路１の上方の天井面６には、第１通路１の延びる方向に直線状に列設された照明用のＬＥＤ光源７…の群が、該第１通路１と直交する横方向に３列８，９，１０設けられている。具体的には、図１（ロ）に示すように、直線状に列設されたＬＥＤ光源７…の群を列方向と直交する方向に間隔をおいて３列備えた複数のＬＥＤ照明器具１０…が、図３に示すように、第１通路１の延びる方向に直列状態に配置されて構成されている。なお、列を構成する各ＬＥＤ光源７は、表面実装型などからなるＬＥＤパッケージによって構成されている。
【００１８】
そして、これら３列のＬＥＤ光源群８，９，１０のうちの中央の列のＬＥＤ光源群８が第１通路１の床面１２を照らすように下方に向けられ、該通路床面照明用のＬＥＤ光源群の列８を挟んで第１商品陳列棚２とは反対の側に位置している列のＬＥＤ光源群９が第１商品陳列棚２の正面を照らすように斜め下方に向けられ、通路床面照明用のＬＥＤ光源群の列８を挟んで第２商品陳列棚３とは反対の側に位置している列のＬＥＤ光源群１０が第２商品陳列棚３の正面を照らすように斜め下方に向けられている。
【００１９】
また、本実施形態では、第２商品陳列棚３の背面側が第３商品陳列棚１３となっていて、第２，第３商品陳列棚３，１３を挟んで第１通路１とは反対の側に、第１通路１と平行な直線状に延びる第２通路１４が設けられており、第２通路１４の上方の天井面６には、第２通路１４の延びる方向に直線状に列設された照明用のＬＥＤ光源７…の群が、該第２通路１４と直交する横方向に間隔をおいて２列１５，１６設けられている。具体的には、図１（ハ）に示すように、直線状に列設されたＬＥＤ光源７…の群を列方向と直交する方向に間隔をおいて２列備えた複数のＬＥＤ照明器具１７…が、図３に示すように、第２通路１４の延びる方向に直列状態に配置されて構成されている。
【００２０】
そして、これら２列のＬＥＤ光源群１５，１６のうちの第３商品陳列棚１３側のＬＥＤ光源群１５が第２通路１４の床面１２を照らすように下方に向けられ、該通路床面照明用のＬＥＤ光源群の列１５を挟んで第３商品陳列棚１３とは反対の側に位置している列のＬＥＤ光源群１６が第３商品陳列棚１３の正面を照らすように斜め下方に向けられている。
【００２１】
上記の照明構造では、第１通路１において、第１，第２の商品陳列棚２，３の正面を、該正面を照らすＬＥＤ光源群の列９，１０でそれぞれ明るく照らしたからといって、第１通路１の床面１２が無用に明るく照らされて眩しさを感じてしまうというようなことがなく、そのため、図１（イ）に示すように、第１，第２の商品陳列棚２，３の正面側を明るく照らすことができて棚４…に収容された商品５…を明るく照らすことができ、しかも、それを眩しさを感じさせることなく実現することができる。もちろん、ＬＥＤ光源７…が用いられていることにより消費電力を低く抑えることができる。
【００２２】
そして、間隔をおいた３列からなるＬＥＤ光源群の列８，９，１０のうち、中間に位置している列のＬＥＤ光源群８が第１通路１の床面１２を照らすように下方に向けられ、該通路床面照明用のＬＥＤ光源群の列８を挟んで第１商品陳列棚２とは反対の側に位置している列のＬＥＤ光源群９が該第１商品陳列棚２の正面を照らすように斜め下方に向けられ、通路床面照明用のＬＥＤ光源群の列８を挟んで第２商品陳列棚３とは反対の側に位置している列のＬＥＤ光源群１０が該第２商品陳列棚３の正面を照らすように斜め下方に向けられているので、第１通路１を挟む第１，第２の各側の商品陳列棚２，３の正面部に対する光の入射角度を大きくすることができて、各側の商品陳列棚２，３の正面を、棚４…間の収容部の奥方を含んで、効果的に明るく照らすことができる。
【００２３】
これらのことは、第２通路１４の側や該第２通路１４に面する第３商品陳列棚１３についても同様のことがいえる。
【符号の説明】
【００２４】
１…第１通路
２…第１商品陳列棚
３…第２商品陳列棚
４…棚
５…商品
６…天井面（天井側）
７…ＬＥＤ光源
８，９，１０…ＬＥＤ光源群
１２…床面
【図１】
2010218922.tif 000003
【図２】
2010218922.tif 000004
【図３】
2010218922.tif 000005